(57)【要約】【課題】配合物を塗布するための改良されたアプリケータ付きキャップおよびそうしたキャップを備えたパッケージングを提供する。【解決手段】本発明は、配合物を収容する容器(10)に対して装着されるアプリケータ付きキャップ(30)に関する。このキャップ(30)は、容器(10)に設けられた配合物を外部に吐出させるためのノズル(14)の開口を塞ぐことが可能である。キャップ(30)は、配合物を塗布するためのアプリケータ(20)を備えており、アプリケータ(20)は、キャップ(30)が容器(10)に対して装着された際に、容器(10)内の配合物と接触しないように、配合物から隔離された状態に置かれる。【選択図】図2
2016087298.tif 000002
【特許請求の範囲】
【請求項１】
配合物を収容する容器(10)に対して装着されるキャップ(30)であって、前記キャップ(30)は、前記容器(10)に設けられた、前記配合物を外部に吐出させるためのノズル(14)の開口を塞ぐことが可能であり、
前記キャップ(30)は、前記配合物を塗布するためのアプリケータ(20)を備えており、
前記アプリケータ(20)は、前記キャップ(30)が前記容器(10)に対して装着された際に、前記容器(10)内の前記配合物と接触しないように前記配合物から隔離された状態に置かれる、キャップ(30)。
【請求項２】
前記アプリケータ(20)は、前記キャップ(30)から分離させることができるように前記キャップ(30)に対して取り付けられる、請求項1に記載のキャップ(30)。
【請求項３】
前記容器(10)は前記ノズル(14)を取り囲むカラー(16)を備えており、前記キャップ(30)を前記容器(10)に対して装着した際、前記アプリケータ(20)の少なくとも一部は、前記カラー(16)によって画定される空間内に収容される、請求項1または2に記載のキャップ(30)。
【請求項４】
前記アプリケータ(20)は、前記キャップ(30)を前記容器(10)に対して装着する際に、前記ノズル(14)の少なくとも一部を受け入れる穴(24)を有する、請求項1から3のいずれか一項に記載のキャップ(30)。
【請求項５】
前記ノズル(14)の外周面はネジ山(14a)を有しており、かつ、前記キャップ(30)は、前記ノズル(14)の前記ネジ山(14a)と係合するネジ山(32a)が形成された部分を有しており、
前記キャップ(30)を前記容器(10)に対して装着する際には、前記ノズル(14)において前記ネジ山(14a)が形成された部分が前記穴(24)を通過した後、前記ノズル(14)の前記ネジ山(14a)は、前記キャップ(30)の前記ネジ山(32a)と係合可能である、請求項4に記載のキャップ(30)。
【請求項６】
前記アプリケータ(20)は、円形断面を有するか、または、楕円形断面、略三角形断面、略四角形断面および五角形以上の略多角形断面を含む非円形断面を有する、請求項1から5のいずれか一項に記載のキャップ(30)。
【請求項７】
前記アプリケータ(620)は、前記キャップ(630)の中心軸線(X-X)に沿って、その基端側から先端側に向って断面積が縮小する、請求項6に記載のキャップ(630)。
【請求項８】
前記アプリケータ(920,1020)は、前記キャップ(930,1030)の中心軸線(X-X)に対して傾斜した塗布面(922,1022)を有する、請求項1から7のいずれか一項に記載のキャップ(930,1030)。
【請求項９】
前記アプリケータ(20)は、ラバー、軟質あるいは硬質プラスチック、スポンジおよびフォームから選ばれた少なくとも一つの材料から構成される、請求項1から8のいずれか一項に記載のキャップ(30)。
【請求項１０】
前記アプリケータ(1120)は、このアプリケータ(1120)自体が固形配合物から構成される、請求項1から8のいずれか一項に記載のキャップ(1130)。
【請求項１１】
前記アプリケータ(520)はブラシである、請求項1から5のいずれか一項に記載のキャップ(530)。
【請求項１２】
前記アプリケータ(820)は複数のフィン(822a〜822d)を備え、前記フィン間に前記配合物を保持する空間が形成される、請求項1から5のいずれか一項に記載のキャップ(830)。
【請求項１３】
前記アプリケータ(1020)はヘラである、請求項1から5のいずれか一項に記載のキャップ(1030)。
【請求項１４】
前記アプリケータ(20)は、前記キャップ(30)の区画されたエリアである、請求項1に記載のキャップ(30)。
【請求項１５】
請求項1から14のいずれか一項に記載のキャップ(30)と、
前記キャップ(30)が装着される容器(10)であって、その内部に収容された配合物を外部に吐出させるためのノズル(14)を備えた容器(10)と、
を具備するパッケージング(1)。
【発明の詳細な説明】
【技術分野】
【０００１】
本発明は、アプリケータ付きキャップに関し、さらに詳しくは、配合物を塗布するのに使用するためのアプリケータ付きキャップに関する。本発明は、さらに、そうしたキャップを備えたパッケージングに関する。
【背景技術】
【０００２】
化粧品などの配合物を塗布するためのアプリケータが取り付けられたキャップを有するパッケージングとして、様々なものが提案されている。こうしたパッケージングにおいては、その保管時あるいは不使用時には、アプリケータの少なくとも先端部は、ボトルなどの容器内に収容された配合物に浸かったままである。
【０００３】
使用時、ユーザは、まず、キャップを容器から取り外す。続いて、ユーザは、キャップを操作することによって、アプリケータに付着した配合物を所望の部位に塗布する。こうしたパッケージングは簡便である。だが、使用時に、ユーザは、配合物の塗布量を簡単に調整できない、という欠点がある。こうした問題に対処するために、アプリケータが、チューブあるいはボトルなどの容器に直接取り付けられたパッケージングが提案されている。
【０００４】
こうしたパッケージングは使い勝手が良い。だが、その一方で、以下の欠点を抱えている。第一に、それは、配合物を所定量だけ取り出すことに関して、ユーザフレンドリではない。なぜなら、ユーザは配合物の流れを目視できないために、アプリケータには、たいてい、配合物が過剰に載るからである。第二に、そうしたパッケージングにおいては、気密性を確保することが困難である。気密性の確保は、数多くの部品を必要とするため、パッケージングの製造コストを増大させる。第三に、そうしたパッケージングにおいては、乾燥により固化した配合物がボトルなどの容器内に戻らないことを保証することも困難である。
【０００５】
配合物のための、さらなる従来型のパッケージングは、以下の文献に開示されている。
【０００６】
特許文献1および特許文献2は、ポンプと、このポンプを直接プッシュすることでスポンジに配合物を供給するための特殊なチャンバーと、を含むセルフローディングパッケージングを開示している。特許文献3は、容器と、ヒンジ上にアプリケータを備えたキャップと、を含むセルフローディングパッケージングを開示している。特許文献4は、キャップと容器との間に、アプリケータを備えたセルフローディングパッケージングを開示している。
【０００７】
特許文献5は、スポンジアプリケータが取り付けられた容器と、マッサージツールと、を含むパッケージングを開示している。特許文献6および特許文献7は、容器と、この容器から延びるセントラルチューブの周囲に取り付けられたスポンジヘッドと、を含むパッケージングを開示している。特許文献5、特許文献6および特許文献7に開示されたパッケージングにおいては、アプリケータは、容器側に取り付けられている。
【０００８】
特許文献8は、キャップ側にアプリケータ、すなわちブラシが取り付けられたパッケージングを開示している。このパッケージングにおいては、ブラシは、使用時以外は、ネイル艶出剤などの配合物に浸かっている。
【先行技術文献】
【特許文献】
【０００９】
【特許文献１】仏国特許発明第2788501号明細書
【特許文献２】仏国特許発明第2789660号明細書
【特許文献３】仏国特許発明第2814444号明細書
【特許文献４】米国特許第1534259号明細書
【特許文献５】仏国特許発明第2885779号明細書
【特許文献６】英国特許第174983号明細書
【特許文献７】米国特許第4674903号明細書
【特許文献８】米国特許第4832060号明細書
【発明の概要】
【発明が解決しようとする課題】
【００１０】
本発明の目的は、従来技術の欠点を軽減あるいは解消するために、配合物を塗布するための改良されたアプリケータ付きキャップおよびそうしたキャップを備えたパッケージングを提供することである。
【課題を解決するための手段】
【００１１】
上述の目的を達成するために、本発明は、配合物を収容した容器に対して装着されるアプリケータ付きキャップを提供する。本発明によれば、このキャップは、容器に設けられた、配合物を外部に吐出させるためのノズルの開口を塞ぐことが可能であり、キャップは、配合物を塗布するためのアプリケータを備えており、アプリケータは、キャップが容器に対して装着された際に、容器内の配合物と接触しないように配合物から隔離された状態に置かれる。こうしたアプリケータ付きキャップを使用する場合、容器内の配合物は、ユーザによって、アプリケータ上に供給される。ユーザは、その後、キャップを操作して、配合物を所望の部位に塗布する。
【００１２】
さらに、本発明は、上記キャップと、このキャップが装着される容器であって、その内部に収容された配合物を外部に吐出させるためのノズルを備えた容器と、を具備するパッケージングを提供する。
【００１３】
有利なことに、本発明に係るアプリケータ付きキャップおよびパッケージングは、簡便で、使いやすく、低コストで、かつ、衛生的な解決策を提供する。さらに詳しく言うと、本発明によれば、アプリケータに供給される配合物の量をユーザが完全に調整できる。しかも、ユーザは選択された部位のみに配合物を供給でき、これは本発明がユーザフレンドリであることを意味する。また、本発明によれば、アプリケータを、その使用後に、素早く洗浄し、乾燥させることができ、これは本発明が衛生フレンドリであることを意味する。さらに、本発明は、少ない数のコンポーネントで実現でき、しかも別なバージョンのために再利用可能であり、これは本発明がコスト効率が良いことを意味する。
【００１４】
配合物は好ましくは、流動性配合物である。流動性配合物は、25℃で、好ましくは1000Pa・s以内の粘度、より好ましくは500Pa・s以内の粘度を有する配合物である。流動性配合物は、25℃で、液体、半固体、またはゲルの形態をとることができる。容器内に収容される流動性配合物としては、以下に限定されるわけではないが、BB(Blemish Balm)クリーム、ブラッシュ(blush)、コンシーラ、リップペイント、アイクリーム、ならびにリキッドファンデーションおよびクリームファンデーションなどのファンデーションを含む、様々な化粧品、クレンジングプロダクツ、メークアッププロダクツ、メークアップリムーバプロダクツ、そしてヘヤダイ等のヘヤプロダクツが挙げられる。
【００１５】
本発明の別な実施形態によれば、アプリケータは、キャップから分離させることができるよう、キャップに対して取り付けられていてもよい。
【００１６】
容器はノズルを取り囲むカラーを備えていてもよい。この場合、キャップを容器に装着した際、アプリケータの少なくとも一部は、カラーによって画定される空間内に収容されてもよい。特に好ましい実施形態では、アプリケータの外周面は、カラーの内周面に密着する。
【００１７】
アプリケータは、キャップを容器に対して装着する際に、ノズルの少なくとも一部を受け入れる穴を有していてもよい。
【００１８】
ノズルの外周面はネジ山を有し、かつ、キャップは、ノズルのネジ山と係合するネジ山が形成された部分を有していてもよい。この場合、キャップを容器に対して装着する際には、ノズルにおいてネジ山が形成された部分が穴を通過した後、ノズルのネジ山は、キャップのネジ山と係合可能であってもよい。
【００１９】
アプリケータは、円形断面を有していても、あるいは、楕円形断面、略三角形断面、略四角形断面および五角形以上の略多角形断面を含む非円形断面を有していてもよい。アプリケータは、キャップの中心軸線に沿って、その基端側から先端側に向って断面積が縮小してもよい。さらに、アプリケータは、キャップの中心軸線に対して傾斜した塗布面を有していてもよい。
【００２０】
アプリケータは、ラバー、軟質あるいは硬質プラスチック、スポンジおよびフォームから選ばれた少なくとも一つの材料から構成されてもよい。アプリケータは、このアプリケータ自体が固形配合物から構成されてもよい。アプリケータはブラシであってもよい。アプリケータは複数のフィンを備え、このフィン間に配合物を保持する空間が形成されてもよい。この場合、特に、隣接するフィン間には、配合物を受け取り、かつ、この配合物を、その内部で保持するための、吸収性を備えたブロックが配置される。アプリケータはヘラであってもよい。さらに、アプリケータは、キャップの区画されたエリアであってもよい。
【００２１】
本出願は、添付図面を参照しながら、その非限定的、かつ、代表的な実施形態についての以下の説明を精読することによって、より良く理解できるであろう。
【図面の簡単な説明】
【００２２】
【図１】本発明に係るパッケージングの一実施形態の斜視図であり、アプリケータ付きキャップは容器に対して装着されている。
【図２】図1に示すパッケージングを、アプリケータ付きキャップを容器から分離させた状態で示す図である。
【図３】図2に示すアプリケータ付きキャップを、アプリケータをキャップから分離させた状態で示す図である。
【図４】図2におけるA-A線での、キャップの断面を示す図である。
【図５】図1ないし図4に示すアプリケータ付きキャップの、ある代替実施形態の斜視図である。
【図６】図1ないし図4に示すアプリケータ付きキャップの、ある代替実施形態の斜視図である。
【図７】図1ないし図4に示すアプリケータ付きキャップの、ある代替実施形態の斜視図である。
【図８】本発明に係るパッケージングの、代替実施形態の斜視図であり、アプリケータ付きキャップは、容器に対して装着されている。
【図９】図8に示すパッケージングを、アプリケータ付きキャップを、容器から分離させた状態で示す図である。
【図１０】本発明に係るパッケージングの、代替実施形態の斜視図であり、アプリケータ付きキャップは、容器に装着されている。
【図１１】図10に示すパッケージングを、アプリケータ付きキャップを、容器から分離させた状態で示す図である。
【図１２】本発明に係るパッケージングの、代替実施形態の斜視図であり、アプリケータ付きキャップは、容器に装着されている。
【図１３】図12に示すパッケージングを、アプリケータ付きキャップを、容器から分離させた状態で示す図である。
【図１４】本発明に係るパッケージングの、代替実施形態の斜視図であり、アプリケータ付きキャップは、容器に装着されている。
【図１５】図14に示すパッケージングを、アプリケータ付きキャップを、容器から分離させた状態で示す図である。
【図１６】本発明に係るパッケージングの、代替実施形態の斜視図であり、アプリケータ付きキャップは、容器に装着されている。
【図１７】図16に示すパッケージングを、アプリケータ付きキャップを、容器から分離させた状態で示す図である。
【図１８】本発明に係るパッケージングの、代替実施形態の斜視図であり、アプリケータ付きキャップは、容器に装着されている。
【図１９】図18に示すパッケージングを、アプリケータ付きキャップを、容器から分離させた状態で示す図である。
【図２０】本発明に係るパッケージングの、代替実施形態の斜視図であり、アプリケータ付きキャップは、容器に装着されている。
【図２１】図20に示すパッケージングを、アプリケータ付きキャップを、容器から分離させた状態で示す図である。
【図２２】本発明に係るパッケージングの、代替実施形態の斜視図であり、アプリケータ付きキャップは、容器に装着されている。
【図２３】図22に示すパッケージングを、アプリケータ付きキャップを、容器から分離させた状態で示す図である。
【図２４】本発明に係るアプリケータ付きキャップの、代替実施形態の斜視図である。
【発明を実施するための形態】
【００２３】
図1ないし図4は、本発明に係るアプリケータ付きキャップおよびパッケージングの一実施形態を示している。図示されたパッケージング1は、配合物、たとえばクレンジングプロダクツが収容されたチューブ状の容器10と、配合物の塗布に用いられるアプリケータ20を備えたキャップ(アプリケータ付きキャップ)30と、を含んでいる。
【００２４】
キャップ30は、図1に示す保管あるいは不使用状態では、後述するように、容器10に対して、ねじ込みによって、取り外し可能に装着される。この状態では、アプリケータ20は、容器10内の配合物と接触しないように、配合物から隔離された状態に置かれる。
【００２５】
図示の実施形態では、容器10は、柔軟なプラスチックから形成された本体12と、この本体12内の配合物を外部に吐出させるためのノズル14と、本体12に対して固定された、ノズル14を取り囲む円筒形のカラー16と、を備える。
【００２６】
ノズル14は、容器本体12に対して一体的に形成されており、さらに、その外周面にネジ山14aを備えている。キャップ30は、図1に示す保管あるいは不使用状態では、ノズル14の開口を塞いでいる。
【００２７】
カラー16は、容器本体12を形成する材料よりも硬質なプラスチックから形成される。カラー16は、複数の貫通穴16aを有する。本実施形態では、カラー16は透明なプラスチックから形成される。だが、カラー16は、半透明あるいは不透明のプラスチックから、あるいは金属材料から形成されてもよい。
【００２８】
図示の実施形態では、アプリケータ20は、たとえばラバーから形成されており、特に「スクラバー」として具現化されている。アプリケータ20の塗布面22には、有利には、キャップ30を容器10から取り外した状態を示す図2から分かるように、クレンジングプロダクツを泡立て、そして皮膚をソフトに洗浄するために、複数の隆起部22aが渦状に形成されている。
【００２９】
図示の実施形態では、アプリケータ20は円形の断面を有する。アプリケータ20の直径D1(図2)は、アプリケータ20の厚み方向に関して概ね一定である。さらに、アプリケータ20の直径D1は、カラー16の内径D2(図2)より小さいがそれに近い。よって、図1に示すように、アプリケータ20がカラー16によって画定される空間内に収容された状態では、アプリケータ20の外周面はカラー16の内周面に対して密着する。
【００３０】
図示の実施形態では、アプリケータ20は、キャップ30とは別の部材として提供されている。言い換えれば、アプリケータ20は、キャップ30に対して、以下で説明するクリップ方式で、取り外し可能に結合されている。したがって、アプリケータ20は、図3に示すように、必要に応じて、キャップ30から分離させることができる。
【００３１】
アプリケータ20をキャップ30から分離させた状態を示す図3からよく分かるように、アプリケータ20の中央には、貫通穴24が形成されている。一方、キャップ30の中央には、円筒状のボス32が形成されている。ボス32は、アプリケータ20の厚みT(図2)よりも短い高さだけ、キャップ30の開口面から突出する。ボス32は、その内周面に、ノズル14のネジ山14aに対応したネジ山32aを備える。ボス32はさらに、キャップ30の開口面と同じ高さに円形のフランジ34を有する。キャップ30に対してアプリケータ20を結合させた状態では、キャップ30のボス32は、図4に断面で示すように、アプリケータ20の貫通穴24内に挿入される。さらに、この状態では、ボス32のフランジ34およびキャップ30の開口側のリム30aは、アプリケータ20の本体部分20aと薄い底部分20bとの間に挟み込まれる。
【００３２】
キャップ30を容器10に対して装着する際には、容器10のノズル14がアプリケータ20の貫通穴24を通過した後、ノズル14のネジ山14aはボス32のネジ山32aと係合する。キャップ30を最終位置まで、ねじ込んだ図1に示す状態では、ノズル14の開口14bはボス32の底面によって塞がれる。したがって、この状態では、容器10内の配合物が外気に触れることはない。
【００３３】
図示の実施形態では、キャップ30を最終位置まで、ねじ込んだ図1に示す状態では、アプリケータ20の塗布面22と、容器本体12の端面12aとの間には、空隙Cが形成される。この空隙Cは、アプリケータ20を素早く乾燥させるための空気循環を実現する。言い換えれば、アプリケータ20を水で洗浄した後、それをすぐに容器10に対して取り付けた場合でも、アプリケータ20は素早く乾燥する。
【００３４】
上記のクレンジングプロダクツ用パッケージングを使用する際には、ユーザは、まず、キャップ30を捻って緩め、容器10から、キャップ30を、それに結合されたアプリケータ20とともに分離させる。続いて、ユーザは、容器本体12を押し潰すことによって、アプリケータ20の塗布面22に、容器10内のクレンジングプロダクツを必要な量だけ供給する。ユーザは、その後、キャップ30を操作して、アプリケータ20上に供給されたクレンジングプロダクツを所望の部位に塗布する。
【００３５】
この実施形態においては、キャップ30はアプリケータ20から取り外すことが可能であるので、使用後には、アプリケータ20の塗布面22に残ったプロダクツを除去するために、アプリケータ20のみを洗浄することができる。したがって、容器に対して、直接、アプリケータが取り付けられた従来のパッケージングと比較して、アプリケータの洗浄は格段に容易である。特に、こうした従来型のパッケージングでは、アプリケータの洗浄の際に、容器内のプロダクツが水に接触して劣化するおそれがあったが、本実施形態は、その可能性を完全に排除する。
【００３６】
図5ないし図7は、本発明に係るアプリケータ付きキャップの代替実施形態を示している。これらの代替キャップは、図1ないし図4を用いて説明したアプリケータ付きキャップの代わりに使用することができる。
【００３７】
図5に示すアプリケータ付きキャップ130は、基本構造に関して、図1ないし図4を用いて説明したアプリケータ付きキャップ30と同じである。このキャップ130は、やはり、たとえばクレンジングプロダクツ用のパッケージングに適用可能である。だが、このアプリケータ付きキャップ130は、アプリケータ120の塗布面122に、複数の小突起(pimple)124が形成されている点で、図1ないし図4に示すアプリケータ付きキャップ30と区別される。
【００３８】
図6に示すアプリケータ付きキャップ230は、アプリケータ220のほぼ全体がスポンジから構成されている点で、図1ないし図4に示すアプリケータ付きキャップ30と区別される。図6に示すアプリケータ付きキャップ230は、たとえばメークアップリムーバ用のパッケージングに採用可能である。
【００３９】
図7に示すアプリケータ付きキャップ330は、アプリケータ320が、略半球形のアプリケータ本体320aと、その表面から延在する複数のトゲ(spine)320bと、を備えている点で、図1ないし図4に示すアプリケータ付きキャップ30と区別される。アプリケータ本体320aとトゲ320bとは、軟質プラスチックなどの材料を用いて、一体的に成形される。
【００４０】
上述したアプリケータは、様々な材料を用いて、様々な形態で具現化することができる。こうした材料の例としては、ラバー、軟質プラスチック、硬質プラスチック、スポンジ、あるいはフォーム等が挙げられる。さらに、アプリケータは、異なる材料の組合せから形成されてもよい。このように形成されたアプリケータを用いることで、グラデーションあるいはぼやけ効果(blurred effects)といった、従来は困難であった処理を容易に行うことが可能となる。
【００４１】
以下、図8ないし図21を参照して、本発明に係るパッケージングの様々な代替実施形態について、さらに説明する。
【００４２】
図8および図9は、BB(Blemish Balm)クリーム用のパッケージングに関する本発明の代替実施形態を、保管(不使用)状態および使用状態で、それぞれ示している。図8および図9に示されたパッケージング400は、BBクリームが収容されたチューブ状の容器410と、BBクリームの塗布に用いられるアプリケータ420を備えたキャップ430と、を含んでいる。容器410は、アプリケータ420を収容可能な円筒形のカラー412を有する。
【００４３】
アプリケータ420は、その表面全体にフロック加工が施されている。したがって、アプリケータ420は「フロック加工チップ」と呼ぶことができる。アプリケータ420は、図9に示すように、容器410の本体から延びるピン状のノズル414を受け入れるための穴422を有する。アプリケータ420は円形の断面を有する。アプリケータ420の直径は、その基端側から先端側(塗布面側)に向って略一定である。
【００４４】
使用時、ユーザは、まず、容器410とキャップ430と分離させる。ユーザは、続いて、容器410の側面を押すことで、アプリケータ420の塗布面上に、所望の量のBBクリームを供給する。使用後、キャップ430は容器410に装着される。この際、ノズル414は、アプリケータ420の穴422内に挿入される。さらにキャップ430を締め付け方向に回転させることで、ノズル414に形成されたネジ山が、キャップ側の対応するネジ山(図示せず)と係合し、最終的に、図8に示すカラー412とアプリケータ420とが完全に嵌合した状態となる(以下で説明する、他の実施形態についても、容器とキャップとは、上述の実施形態と同様に、ネジ係合によって互いに結合可能であるよう構成される。だが、こうした構成は必須ではない)。図8および図9に示す実施形態は、ファンデーションあるいはブラッシュ用として使用することも可能である。
【００４５】
図10および図11もまた、BBクリーム用のパッケージングに関する本発明の代替実施形態を、保管(不使用)状態および使用状態で、それぞれ示している。図10および図11に示されたパッケージング500は、BBクリームが収容されたチューブ状の容器510と、BBクリームの塗布に用いられるアプリケータ520を備えたキャップ530と、を含んでいる。
【００４６】
図10および図11に示すパッケージングの使用方法は、実質的に、図8および図9に示す実施形態と同じである。だが、この実施形態においては、図8および図9に示すものとは異なり、アプリケータ520は、複数の柔らかい毛の束から形成されており、言い換えればブラシとして具現化されている。
【００４７】
図12および図13は、コンシーラ用のパッケージングに関する本発明の代替実施形態を、保管(不使用)状態および使用状態で、それぞれ示している。図12および図13に示されたパッケージング600は、コンシーラが収容されたチューブ状の容器610と、コンシーラの塗布に用いられるアプリケータ620を備えたキャップ630と、を含んでいる。
【００４８】
アプリケータ620には、図8および図9に示す実施形態と同様、その表面全体にフロック加工が施されている。アプリケータ620は、図13から分かるように、容器610のピン状のノズル612を受け入れるための穴622を有する。アプリケータ620は円形の断面を有する。だが、この断面の直径は、したがってアプリケータ620の断面積は、図8および図9に示す実施形態とは異なり、アプリケータ620の基端側から先端側(塗布面側)に向って縮小している。図12および図13に示すパッケージングの使用方法は、実質的に、図8および図9に示す実施形態と同じである。
【００４９】
上述の実施形態において、断面が概ね円形のアプリケータについて説明してきた。だが、アプリケータの断面は円形である必要はない。本発明のさらなる代替実施形態によれば、アプリケータは、楕円形の断面、略三角形の断面、略四角形の断面、および五角形以上の略多角形断面を含む非円形断面を有することができる。
【００５０】
図14および図15は、リキッドファンデーション用のパッケージングに関する本発明の代替実施形態を、保管(不使用)状態および使用状態で、それぞれ示している。図14および図15に示されたパッケージング700は、ファンデーションが収容されたボトル状の容器710と、ファンデーションの塗布に用いられるアプリケータ720を備えたキャップ730と、を含んでいる。容器710はさらに、円筒形のカラー712を備える。
【００５１】
アプリケータ720は、たとえば、スポンジから構成される。ユーザによって容器710内のファンデーションが供給されるアプリケータ720は、図15から分かるように、略三角形の断面を有する。アプリケータ720は、容器710から延びるピン状のノズル714を受け入れるための穴722を有する。アプリケータ720は、使用後の洗浄のためにキャップ730から簡単に取り外すことができるように、キャップ730に対して取り付けられている。保管時には、ノズル714がキャップ730にねじ込まれ、アプリケータ720は、図14に示すように、容器710のカラー712と完全に嵌合状態となる。
【００５２】
図16および図17は、ヘヤダイ用のパッケージングに関する本発明の代替実施形態を、保管(不使用)状態および使用状態で、それぞれ示している。図16および図17に示されたパッケージング800は、ヘヤダイが収容されたチューブ状の容器810と、ヘヤダイの塗布に用いられるアプリケータ820を備えたキャップ830と、を含んでいる。容器810はさらに、円筒形のカラー812を備える。
【００５３】
アプリケータ820は、複数のフィン822a〜822dを有する。ただし、フィンの数、形状および配置等は、図示の実施形態に限定されない。アプリケータ820はさらに、隣接するフィン822a〜822d同士の間に取り付けられたブロック824a〜824cを備える。これらのブロック824a〜824cは、吸収性を備えた材料、たとえばスポンジ等から構成されてもよい。ヘヤダイは、ブロック824a〜824cの表面に供給され、そしてブロック824a〜824cの内部で保持される。中央に位置するブロック824bには、容器810のピン状のノズル814を受け入れるための穴826が形成される。
【００５４】
使用時、ユーザは、容器810の側面を押すことで、アプリケータ820のフィン822a〜822d間に配置されたブロック824a〜824cの表面に、所望の量のヘヤダイを供給する。ユーザは、続いて、自身あるいは他人の髪に、アプリケータ820に供給されたヘヤダイを塗布する。パッケージングの保管時には、アプリケータ820は、図16に示すように、容器810のカラー812と完全に嵌合状態となる。
【００５５】
図18および図19は、リップペイント用のパッケージングに関する本発明の代替実施形態を、保管(不使用)状態および使用状態で、示している。図18および図19に示されたパッケージング900は、リップペイントが収容されたチューブ状の容器910と、リップペイントの塗布に用いられるアプリケータ920を備えたキャップ930と、を含んでいる。容器910はさらに、円筒形のカラー912を備える。
【００５６】
アプリケータ920は、一般的なリップスティックの形状をまねたものである。特に、このリップスティック状のアプリケータ920は、キャップ930の中心軸線X-Xに対して傾斜した塗布面922を有する。アプリケータ920は、図19から分かるように、容器910のピン状のノズル914を受け入れるための穴924を有する。使用時、ユーザは、容器910の側面を押すことで、アプリケータ920の塗布面922上に、所望の量のリップペイントを供給する。パッケージングの保管時には、ノズル914がキャップ930にねじ込まれて、アプリケータ920は、図18に示すように、容器910のカラー912と完全に嵌合状態となる。
【００５７】
図20および図21は、アイシャドウ用のパッケージングに関する本発明の代替実施形態を、保管(不使用)状態および使用状態で、示している。図20および図21に示されたパッケージング1000は、アイシャドウが収容されたチューブ状の容器1010と、アイシャドウの塗布に用いられるアプリケータ1020を備えたキャップ1030と、を含んでいる。容器1010はさらに、円筒形のカラー1012を備える。
【００５８】
アプリケータ1020は、たとえば柔軟なプラスチックから構成されたヘラの形態である。このヘラ状のアプリケータ1020は、キャップ1030の中心軸線X-Xに対して傾斜した塗布面1022、および、軸線X-Xに対して直交するベース面1024を有する。アプリケータ1020の塗布面1022およびベース面1024は、容器1010のピン状のノズル1014を受け入れるための穴1026,1028をそれぞれ有する。
【００５９】
使用時、ユーザは、図21に示すように、容器1010からキャップ1030を分離させる。続いて、ユーザは、容器1010の側面を押すことで、アプリケータ1020の塗布面1022上に、所望の量のアイシャドウを供給する。パッケージングの保管時には、ノズル1014がキャップ1030にねじ込まれて、アプリケータ1020は、図20に示すように、容器1010のカラー1012内の空間に収容された状態となる。
【００６０】
図22および図23は、アイクリーム用のパッケージングに関する本発明の代替実施形態を、保管(不使用)状態および使用状態で、示している。図22および図23に示されたパッケージング1100は、アイクリームが収容されたチューブ状の容器1110と、アイクリームの塗布に用いられるアプリケータ1120を備えたキャップ1130と、を含んでいる。容器1110はさらに、円筒形のカラー1112を備える。
【００６１】
この実施形態では、アプリケータ1120は、略馬蹄形の本体1122と、ベース1124とを備え、本体1122は、ベース1124上に、ベース1124の表面に対して斜めに配置されている。本体1122およびベース1124は、たとえば柔軟なプラスチックから一体的に形成される。したがって、本体1122とベース1124との二つの接合部分にはフレキシブルヒンジ1126が形成される。本体1122の自由端部には、好ましくは表面がメッキされたC字形の隆起部1122aが設けられており、この隆起部1122aの表面がアプリケータ1120の塗布面となる。フレキシブルヒンジ1126が存在するので、本体1122は、アプリケータ1120の塗布面に力が加わった際に、ベース1124に向って傾くことができる。ベース1124は、図23から分かるように、キャップ1130と結合される。ベース1124は、さらに、容器1110のピン状のノズル1114を受け入れるための穴1128を有する。
【００６２】
使用時、ユーザは、図23に示すように、容器1110からキャップ1130を分離させる。続いて、ユーザは、容器1110の側面を押すことで、アプリケータ1120の塗布面上に、所望の量のアイクリームを供給する。パッケージングの保管時には、ノズル1114がキャップ1130にねじ込まれて、アプリケータ1120は、図22に示すように、容器1110のカラー1112内の空間に収容された状態となる。
【００６３】
さらなる代替実施形態によれば、アプリケータ自体が固形配合物から形成されていてもよい。図24には、アプリケータ1220が、たとえば石けんから形成されたキャップ1230を示す。アプリケータ1220には、キャップ1230が装着されることになる容器のノズル(図示せず)を受け入れるための穴1222が形成されてもよい。使用時には、アプリケータ1220を形成している石けんには、容器(図示せず)内に収容されている配合物あるいは水が供給される。
【００６４】
さらに別な実施形態によれば、アプリケータは、グリッドのようなパーツの背後で保護されてもよい。別な実施形態によれば、アプリケータは、モータ等の駆動手段を用いて、あるいは駆動手段を用いることなく、回転あるいは振動するよう構成されてもよい。別な実施形態によれば、アプリケータは、加熱あるいは冷却機能を有していてもよい。別な実施形態によれば、アプリケータは、良好なマッサージ効果あるいは浸漬効果を得るために、ざらざらした表面を有していてもよい。別な実施形態によれば、アプリケータは「マルチアプリケータ」であってもよい。別な実施形態によれば、アプリケータは、キャップにおける区画されたエリアであってもよい。別な実施形態によれば、配合物を吐出させるためのノズルは、容器の中央以外の位置に存在してもよい。別な実施形態によれば、アプリケータあるいはキャップには、配合物を吐出させるためのノズルの開口の寸法および形状に対応したピンが形成されてもよい。この場合、このピンは、キャップが容器に対して装着された際に、ノズルの開口に入り込み、これによってノズルの開口を塞ぐ。
【００６５】
図面を参照して本発明の様々な実施形態を説明してきたが、本発明は、これらの実施形態には限定されない。上記実施形態における、様々な特徴は、それが原理的に不可能でない限り、互いに組合せることができる。当業者にとって、様々な修正、変更および他の実施形態は明らかである。そうした修正、変更および他の実施形態のすべては、本発明の範疇に包含される。
【符号の説明】
【００６６】
1  パッケージング
10  容器
14  ノズル
14a  ネジ山
16  カラー
20  アプリケータ
24  穴
30  キャップ
32a  ネジ山
520  アプリケータ
530  キャップ
620  アプリケータ
630  キャップ
820  アプリケータ
822a〜822d  フィン
830  キャップ
920  アプリケータ
922  塗布面
930  キャップ
1020  アプリケータ
1022  塗布面
1030  キャップ
1120  アプリケータ
1130  キャップ
【図１】
2016087298.tif 000003
【図２】
2016087298.tif 000004
【図３】
2016087298.tif 000005
【図４】
2016087298.tif 000006
【図５】
2016087298.tif 000007
【図６】
2016087298.tif 000008
【図７】
2016087298.tif 000009
【図８】
2016087298.tif 000010
【図９】
2016087298.tif 000011
【図１０】
2016087298.tif 000012
【図１１】
2016087298.tif 000013
【図１２】
2016087298.tif 000014
【図１３】
2016087298.tif 000015
【図１４】
2016087298.tif 000016
【図１５】
2016087298.tif 000017
【図１６】
2016087298.tif 000018
【図１７】
2016087298.tif 000019
【図１８】
2016087298.tif 000020
【図１９】
2016087298.tif 000021
【図２０】
2016087298.tif 000022
【図２１】
2016087298.tif 000023
【図２２】
2016087298.tif 000024
【図２３】
2016087298.tif 000025
【図２４】
2016087298.tif 000026
【外国語明細書】
2016087298000001.pdf